(57)【要約】【課題】プリンターにおいて、内蔵のブザーユニットからのブザー音を外部に通すためのスリットを介して液体の侵入を防止可能な防水構造を提案すること。【解決手段】ロール紙プリンター１のケース２の内部の背面側にはブザーユニット１０が配置され、その保護カバー１３にはブザー音を出力するためのスリット１４（１）〜１４（６）が形成されている。保護カバー１３の外側表面１３ａには、スリット１４（１）〜１４（５）の上端縁に沿って水平に対して傾斜した水切り勾配の付いた庇１６（１）〜１６（５）が形成されている。ケース２内に侵入した液体が保護カバー１３の外側表面１３ａに沿って流れ落ちても、傾斜した庇１６（１）〜１６（５）によって受け止められ、これらの庇の上面に沿って液体がプリンター幅方向に流れ、その端から落下する。よって、スリットから液体が内部のブザー本体部１２に侵入してしまうことがない。【選択図】図２
2010162779.tif 000002
【特許請求の範囲】
【請求項１】
音発生機構と、
前記音発生機構を覆っている保護カバーと、
前記保護カバーに形成した音出力用の少なくとも１本のスリットとを有する情報機器の
防水構造であって、
前記スリットの上側に沿って前記保護カバーの外側表面から突出する状態に形成した庇
を有していることを特徴とする情報機器の防水構造。
【請求項２】
前記庇には水勾配が付いていることを特徴とする請求項１に記載の情報機器の防水構造
。
【請求項３】
前記庇は、水平に対して所定の角度だけ傾斜した方向に延びていることを特徴とする請
求項２に記載の情報機器の防水構造。
【請求項４】
前記スリットには、前記保護カバーに上下方向に所定の間隔で形成した上側スリットお
よび下側スリットが含まれており、
前記庇には、前記上側スリットの上端縁に沿って形成した上側庇および前記下側スリッ
トの上端縁に沿って形成した下側庇が含まれており、
前記上側庇の先端に対して前記下側庇の先端が前記保護カバーの前記外側表面の側に後
退した位置となるように、これらの庇の前記外側表面からの張り出し量が設定されている
ことを特徴とする請求項１ないし３のうちのいずれかの項に記載の情報機器の防水構造。
【請求項５】
前記庇の先端には下方に折れ曲がった水切り部が形成されていることを特徴とする請求
項１ないし４のうちのいずれかの項に記載の情報機器の防水構造。
【請求項６】
前記水切り部は、前記保護カバーの前記外側表面に直交する方向から見た場合に、前記
スリット内に収まる大きさであることを特徴とする請求項５に記載の情報機器の防水構造
。
【請求項７】
前記スリットは、前記保護カバーの厚さ方向の断面形状が、前記外側表面の側の部分が
前記保護カバーの内側表面の側の部分に対して下側に所定量だけずれた段差付き断面形状
であることを特徴とする請求項１ないし６のうちのいずれかの項に記載の情報機器の防水
構造。
【請求項８】
音発生機構と、
前記音発生機構を覆っている保護カバーと、
前記保護カバーに形成した少なくとも１本の音出力用のスリットと、
請求項１ないし７のうちのいずれかの項に記載の防水構造とを有していることを特徴と
する情報機器。
【発明の詳細な説明】
【技術分野】
【０００１】
本発明は、ブザー、スピーカーなどの音発生機構を備えたプリンターなどの情報機器に
関し、特に、音発生機構からの音を外部に出力するためのスリットを介して外部から水な
どの液体が侵入することを防止するための防水構造に関するものである。
【背景技術】
【０００２】
情報機器、たとえばプリンターにおいては、ブザー、スピーカーなどの音発生機構を備
えたものが知られている。例えば、特許文献１に記載されている飲食店用ＰＯＳ装置に用
いられるキッチンプリンター、厨房プリンターなどと呼ばれているプリンターには、調理
指令、調理遅延警告などを出力するためのブザー、スピーカーが内蔵されている。
【０００３】
厨房などに設置されるプリンターにおいては、レジカウンタなどで使用される場合に比
べて、水などの液体が降りかかる危険性が高い。したがって、降りかかった水などの液体
が内部に侵入して内蔵の電子機器の短絡、劣化などを引き起こすことの無いように防水対
策を施す必要がある。特許文献２には、ケースの後面部分にケーブルコネクタなどが露出
している開口部を備えた情報機器において、当該開口部から内部に水などの液体が侵入す
ることの無いように、ケースの天面に幅方向に延びる排水溝を形成することが提案されて
いる。
【先行技術文献】
【特許文献】
【０００４】
【特許文献１】特開２００１−２９０８７２号公報
【特許文献２】特開２００７−６２１５９号公報
【発明の概要】
【発明が解決しようとする課題】
【０００５】
従来においては、ブザー、スピーカーなどの音発生機構が内蔵されているプリンターな
どの情報機器において、発生音を外部に出力するために機器ケースなどに形成されたスリ
ットを経由して水などが侵入する場合の防水対策について何ら提案されていない。スリッ
トを介して外部から水などが侵入すると、ブザー音が鳴動しなくなるなどの不具合が発生
し、ユーザーに警告などを行うことができなくなるおそれがある。
【０００６】
本発明の課題は、音発生機構を備えた情報機器において、音発生機構からの発生音を外
部に通すためのスリットを介して外部から水などの液体が侵入することを防止するための
防水構造を提案することにある。
【０００７】
また、本発明の課題は、かかる防水構造を備えた情報機器を提案することにある。
【課題を解決するための手段】
【０００８】
上記の課題を解決するために、本発明は、
音発生機構と、
前記音発生機構を覆っている保護カバーと、
前記保護カバーに形成した少なくとも１本の音出力用のスリットとを有する情報機器の
防水構造であって、
前記スリットの上側に沿って前記保護カバーの外側表面から突出する状態に形成した庇
を有していることを特徴としている。
【０００９】
水などの液体が情報機器に降りかかって保護カバーの外側表面を流れ落ちた場合に、液
体はスリットの上側に沿って形成されている庇に遮られて、スリットに到達することがな
い。したがって、液体が外部からスリットを介して情報機器内蔵の音発生機構に侵入する
ことを防止できる。
【００１０】
ここで、前記庇は水勾配が付いていることが望ましい。保護カバーの外側表面に沿って
庇まで流れ落ちた液体は、水勾配が付いている庇に沿って流れて、庇の端から落下する。
したがって、庇の裏面側に液体が伝って庇下側のスリットに液体が侵入してしまうことを
確実に防止できる。
【００１１】
たとえば、前記庇は水平に対して所定の角度だけ傾斜した方向に延びる傾斜庇とすれば
よい。
【００１２】
次に、音出力用の前記スリットは一般に前記保護カバーに複数本設けられる。すなわち
、前記スリットには、前記保護カバーに上下方向に所定の間隔で形成した上側スリットお
よび下側スリットが含まれている。この場合には、前記庇として、前記上側スリットの上
端縁に沿って形成した上側庇および前記下側スリットの上端縁に沿って形成した下側庇を
設ければよい。また、この場合には、前記上側庇の先端に対して前記下側庇の先端が前記
保護カバーの前記外側表面の側に後退した位置となるように、これらの庇の前記外側表面
からの張り出し量を設定することが望ましい。
【００１３】
このようにすれば、上側庇の先端から落下した液体が下側庇に受け止められてしまうこ
とがない。よって、上側庇から落下した液体が下側庇を伝ってスリットに侵入してしまう
ことを防止できる。
【００１４】
次に、前記庇に流れ落ちた液体が当該庇の上面から裏面側に回り込み、当該庇の裏面を
伝ってスリットに侵入してしまうことを防止するためには、前記庇の先端に、下方に折れ
曲がった水切り部を形成しておくことが望ましい。
【００１５】
この場合、前記水切り部は、前記保護カバーの前記外側表面に直交する方向から見た場
合に、前記スリット内に収まる大きさにすることが望ましい。このようにすれば、スリッ
トおよび水切り部付きの庇が一体形成されたプラスチック製保護カバーを、割型を用いて
簡単に射出成形することが可能になる。
【００１６】
次に、本発明において、前記スリットを、前記保護カバーの厚さ方向の断面形状が、前
記外側表面の側の部分が前記保護カバーの内側表面の側の部分に対して下側に所定量だけ
ずれた段差付き断面形状にすれば、保護カバーの外側表面あるいは庇を伝ってスリットに
至った液体が内部に侵入してしまうことを防止できるので望ましい。
【００１７】
一方、本発明の情報機器は、
音発生機構と、
前記音発生機構を覆っている保護カバーと、
前記保護カバーに形成した少なくとも１本の音出力用のスリットと、
上記構成の防水構造とを有していることを特徴としている。
【発明の効果】
【００１８】
本発明の情報機器の防水構造によれば、外部に発生音を出力するために保護カバーに形
成したスリットに庇を形成してあるので、情報機器に降りかかった水などの液体がスリッ
トを介して内蔵の音発生機構に侵入することを防止できる。
【００１９】
したがって、本発明の防水構造を備えた情報機器によれば、スリットを介して侵入した
液体によって音発生機構に動作不能あるいは動作不良が発生して、ユーザーに警告などを
行うことができなくなる等の弊害を確実に防止でき、音発生機構を備えた情報機器に動作
の信頼性を高めることができる。
【図面の簡単な説明】
【００２０】
【図１】本発明を適用したロール紙プリンターの後側を示す外観斜視図である。
【図２】図１のロール紙プリンターの内部構造を示す概略縦断面図である。
【図３】図１のロール紙プリンターの背面板を取り外した状態の外観斜視図である。
【図４】図１のロール紙プリンターのブザーユニットを示す図である。
【図５】ブザーユニットのスリット、庇の別の例を示す図である。
【発明を実施するための形態】
【００２１】
以下に、図面を参照して、本発明を適用した音発生機構を備えた情報機器の実施の形態
を説明する。
【００２２】
図１は音発生機構としてブザーを備えたロール紙プリンターの背面側を示す外観斜視図
であり、図２はロール紙プリンターの内部構造を示すために図１のII−II線で切断した部
分を示す概略縦断面図である。
【００２３】
これらの図を参照して説明すると、ロール紙プリンター１は例えば飲食店用ＰＯＳ装置
などに用いられるキッチンプリンターあるいは厨房プリンターと呼ばれるものであり、全
体として直方体状のプリンターケース２を備えている。プリンターケース２の内部には、
図２から分かるように、ロール紙収納部３、ロール紙収納部３に収納されたロール紙４か
ら繰り出される長尺状の一定幅の記録紙５に印刷を行うためのサーマルヘッド６、サーマ
ルヘッド６の発熱部に記録紙５を押しつけながら記録紙５を搬送するプラテンローラ７、
印刷後の記録紙５をその幅方向に切断するためのカッター機構８などが配置されている。
記録紙５は印刷後にカッター機構８によって所定の長さに切断され、切断によって得られ
た所定長さの記録紙片がプリンターケース２の前面に形成した排出口９から発行されるよ
うになっている。
【００２４】
プリンターケース２の内部において、ロール紙収納部３の後側にはブザーユニット１０
が配置されている。ブザーユニット１０は、基板１１と、この基板１１に搭載されている
振動素子などを備えたブザー本体部１２と、基板１１およびブザー本体部１２を覆ってい
る保護カバー１３とを備えている。保護カバー１３におけるブザー本体部１２のブザー発
生面１２ａに対峙する背面板部分１３Ａにはブザー音を外部に出力するために、複数本、
たとえば６本のスリット１４（１）〜１４（６）が形成されている。本例では、ブザーユ
ニット１０が搭載されているが、スピーカーなどの別の形態の音発生源が搭載されていて
もよいことは勿論である。
【００２５】
ロール紙プリンター１のプリンターケース２は、天板部分２１、左右の側板部分２２、
２３、底板部分２４および背面板２５を備えており、その前面には、下端側の支軸２６を
中心として前方に開閉可能な開閉蓋２７が取り付けられている。開閉蓋２７を開くと、当
該開閉蓋２７と共にプラテンローラ７がサーマルヘッド６から離れて前方に開き、ロール
紙収納部３および記録紙搬送路が開放状態になり、ロール紙４の交換、そこから引き出し
た記録紙５のセット作業を簡単に行うことが可能である。
【００２６】
背面板２５はスナップ機構２８などによって底板部分２４などの本体側に着脱可能に取
り付けられている。また、背面板２５は、その内側表面２５ｂが一定の間隔でブザーユニ
ット１０の保護カバー１３に対峙しており、当該保護カバー１３に接触しないように配置
されている。これら背面板２５および保護カバー１３からなる二重カバー構造によって、
ブザーユニット１０内の基板１１およびブザー本体部１２（音発生機構）が保護された状
態となっている。
【００２７】
外側保護カバーとして機能する背面板２５にも、ブザーユニット１０から発生するブザ
ー音を外部に出力するために、複数本、たとえば６本のスリット２９（１）〜２９（６）
が形成されている。スリット２９（１）〜２９（６）は、水平方向に平行に延びる一定幅
で同一長さのものであり、上下方向に一定の間隔で形成されている。
【００２８】
背面板２５のスリット２９（１）〜２９（６）は、ロール紙プリンター１の幅方向にお
いては内蔵のブザーユニット１０の保護カバー１３のスリット１４（１）〜１４（６）と
同一位置に形成されている。しかるに、ロール紙プリンター１の上下方向においては（ほ
ぼ垂直に延びる背面板２５に直交する方向から見た場合に）、スリット２９（１）〜２９
（６）は全体としてスリット１４（１）〜１４（６）に対して下側にオフセットした位置
となるように配置されている。
【００２９】
本例では、保護カバー１３の側のスリット１４（１）〜１４（６）における最も下側の
スリット１４（６）に、背面板２５の側のスリット２９（１）〜２９（６）における最も
上側のスリット２９（１）が対応する高さ位置となるように、上下にオフセットしている
。したがって、スリット２９（２）〜２９（６）が、スリット１４（１）〜１４（５）に
対して下側に位置するようにオフセットしている。
【００３０】
次に、背面板２５の各スリット２９（１）〜２９（６）は、背面板厚さ方向の断面形状
が、背面板外側表面２５ａの側のスリット部分２９ａに対して、背面板内側表面２５ｂの
側のスリット部分２９ｂが全体として上側にオフセットしている段差付き断面形状となっ
ている。すなわち、スリット２９（１）〜２９（６）は、背面板２５の外側表面２５ａの
開口位置が、当該背面板２５の内側表面２５ｂの開口位置よりも低い位置となるように形
成されている。段差付き断面形状とする代わりに、全体として一定幅で外側表面から内側
表面に向けて下向きに傾斜した方向に延びる断面形状とすることも可能である。
【００３１】
このように、本例のロール紙プリンター１では、ブザーユニット１０の基板１１および
ブザー本体部１２が、保護カバー１３およびプリンターケース２の背面板２５による二重
カバー構造によって保護され、内側の保護カバー１３に形成したスリット１４（１）〜１
４（６）が背面板２５によって覆われている。また、外側の背面板２５に形成したスリッ
ト２９（１）〜２９（６）は、内側の保護カバー１３のスリット１４（１）〜１４（６）
に対して、全体として、下側にオフセットした位置関係となっている。さらに、外側の背
面板２５と内側の保護カバー１３は接していない。さらには、各スリット２９（１）〜２
９（６）は、外側の部分が一段低い段差付き断面形状となっている。
【００３２】
この構成のロール紙プリンター１において、その上から降りかかった水などの液体がプ
リンターケース２の天板部分２１から背面板２５に沿って流れ落ち、当該背面板２５のス
リット２９（１）〜２９（６）に侵入したとする。この場合、各スリット２９（１）〜２
９（６）が、外側の部分が一段低い段差付き断面形状となっているので、侵入した液体が
、その外側のスリット部分２９ａから一段高い位置にある内側のスリット部分２９ｂに侵
入することは困難である。よって、スリット２９（１）〜２９（６）を介して背面板２５
の内側に液体が侵入することを阻止できる。
【００３３】
また、各スリット２９（１）〜２９（６）を介して背面板２５の内側表面２５ｂに液体
が侵入したとしても、背面板２５と保護カバー１３が離れているので、液体が保護カバー
１３の外側表面１３ａの側に伝ってくることがない。
【００３４】
さらに、保護カバー１３に形成したスリット１４（１）〜１４（６）は、外側の背面板
２５に形成したスリット２９（１）〜２９（６）よりも上側に位置している。よって、背
面板２５の内側表面２５ｂの側に侵入した液体が保護カバー１３の外側表面１３ａに落下
したとしても、当該外側表面１３ａを伝って上方に位置するスリット１４（１）〜１４（
６）に到達することは殆どない。したがって、スリット１４（１）〜１４（６）を通って
液体がブザーユニット１０の基板１１およびブザー本体部１２に侵入することを確実に阻
止することができる。
【００３５】
なお、本例では、プリンターケース２の背面板２５をブザーユニット１０を覆う外側保
護カバーとして利用しているが、ブザーユニット１０を保護するための専用の外側保護カ
バーを取り付け、この外側保護カバーの外側表面をプリンターケース２から外側に露出さ
せるようにすることもできる。また、スリット２９（１）〜２９（６）は直線状に水平に
延びる水平スリットであるが、場合によっては、垂直スリット、傾斜スリット、あるいは
、曲線状のスリットとすることも可能である。内側のスリット１４（１）〜１４（６）に
ついても同様である。さらに、外側のスリット２９（１）〜２９（６）と内側のスリット
１４（１）〜１４（６）のオフセット方向は、上下方向、左右方向、あるいは、斜め方向
とすることも可能である。
【００３６】
（保護カバー１３の防水構造）
次に、図３は図１と同様にロール紙プリンター１を後側から見た場合の外観斜視図であ
り、背面板２５を取り外した状態を示してある。図４（ａ）および（ｂ）はブザーユニッ
ト１０を取り出してプリンター後側から見た場合の背面図およびその概略縦断面図である
。図１、図３および図４を参照して、ブザーユニット１０の保護カバー１３の防水構造を
詳細に説明する。
【００３７】
先に述べたように、ブザーユニット１０は、基板１１、ブザー本体部１２および保護カ
バー１３とを備えており、保護カバー１３にはスリット１４（１）〜１４（６）が形成さ
れている。図３、４から分かるように、保護カバー１３は、全体として、プリンター前方
に開口している所定深さの矩形の凹形状をしており、その下側部分と一方の側部には取付
板部分１３Ｂ、１３Ｃが形成されている。これらの取付板部分１３Ｂ、１３Ｃに形成され
ているビス穴１３Ｄ、１３Ｅに装着した不図示のビスによって保護カバー１３がロール紙
プリンター１の内部の所定部位に固定されている。この形状の保護カバー１３の矩形の凹
部には、プリンター前方から基板１１が固定され、当該基板１１の表面および当該表面に
搭載されているブザー本体部１２が保護カバー１３によって覆われた状態となっている。
また、保護カバー１３の側面には矩形の窪み１３Ｆが形成されており、そこに、ブザー音
量調整用のダイヤル式のツマミ１５が配置されている。
【００３８】
この形状の保護カバー１３は例えばプラスチックの射出成形品であり、そのブザー本体
部１２の音発生面１２ａに対峙している矩形の背面板部分１３Ａは、全体として、プリン
ター左右方向に僅かに傾いており、プリンター前後方向にも僅かに傾いている。たとえば
、図４（ａ）に示すように、プリンター左右方向においては水平線Ｈに対して角度αだけ
傾いており、図４（ｂ）に示すように、プリンター前後方向においては垂直線Ｖに対して
角度βだけ上向きに傾斜している。この背面板部分１３Ａに形成されている６本のスリッ
ト１４（１）〜１４（６）は、一定の間隔で平行に延びる一定幅の直線状のスリットであ
り、それぞれ同一長さのものである。各スリット１４（１）〜１４（６）は矩形の背面板
部分１３Ａの幅方向に延びており、したがって、水平線Ｈに対して角度αだけ傾いた傾斜
スリットとなっている。
【００３９】
また、各スリット１４（１）〜１４（６）の厚さ方向の断面形状は、背面板部分外側表
面１３ａの側のスリット部分１４ａが、背面板部分内側表面１３ｂの側のスリット部分１
４ｂに対して一段低い段差付き断面形状をしている。これらのスリット部分１４ａ、１４
ｂは同一の矩形断面形状をしており、これらの間が狭い間隔で連通している。
【００４０】
このように、外側のスリット部分１４ａに対して内側のスリット部分１４ｂを一段高い
位置となるようにスリット断面形状を設定しておくことにより、スリット１４（１）〜１
４（６）を通ってブザーユニット１０の内部に液体が侵入することを効果的に防止できる
。すなわち、背面板２５のスリット２９（１）〜２９（６）などを通ってプリンターケー
ス２の内部に侵入した液体が保護カバー１３のスリット１４（１）〜１４（６）に至った
としても、当該スリット１４（１）〜１４（６）における一段低いスリット部分１４ａか
ら一段高い内側のスリット部分１４ｂを通って内部に侵入する可能性は極めて低い。よっ
て、かかるスリット１４（１）〜１４（６）の段差付きの断面形状によって液体の侵入を
防止できる。
【００４１】
次に、保護カバー１３の背面板部分１３Ａには、各スリット１４（１）〜１４（５）の
上端縁に沿って液体侵入防止用の庇１６（１）〜１６（５）が形成されている。したがっ
て、これらの庇１６（１）〜１６（５）は水平線Ｈに対して角度αだけ傾斜した傾斜庇で
ある。換言すると、左右方向に一定角度αの水勾配が付いている庇である。本例では最も
下側のスリット１４（６）の部分には庇が付いていない。勿論、全てのスリットに庇を付
けることもでき、上側の一部のスリットにのみ庇を付けることもできる。
【００４２】
最も上のスリット１４（１）の庇１６（１）は背面板部分１３Ａの全幅に亘る長さのも
のであり、その下側のスリット１４（２）の庇１６（２）も全体としては背面板部分１３
Ａの全幅に亘る長さのものであるが、スリット１４（２）の幅方向の端から外れた位置に
おいて一部分断されている。分断位置は内側表面１３ｂから立設している不図示のボスに
よるヒケを防止するための肉盗みの部位である。この下側のスリット１４（３）の庇１６
（３）は背面板部分１３Ａの全幅に亘る長さのものである。これに対して、下側のスリッ
ト１４（４）、１４（５）の庇１６（４）、１６（５）は、ツマミ１５を配置するための
窪みを形成したために狭い幅となっている背面板部分１３Ａの部位に配置されており、ス
リット１４（４）、１４（５）の全幅を包含する状態に形成され、これらのスリットより
も僅かに長い幅のものである。
【００４３】
このようにプリンター左右方向に水勾配の付いた庇１６（１）〜１６（５）を形成して
おくことにより、ロール紙プリンター１のケース２の背面板２５の内側に侵入した液体が
、ブザーユニット１０の保護カバー１３の背面板部分１３Ａに沿って流れ落ちた場合に、
当該液体がスリット１４（１）〜１４（５）から内部に侵入してしまうことを防止できる
。すなわち、背面板部分１３Ａの外側表面１３ａに沿って流れ落ちる液体は各スリット１
４（１）〜１４（５）の上側に配置されている庇１６（１）〜１６（５）によって受け止
められる。
【００４４】
また、各庇１６（１）〜１６（５）はプリンター幅方向に傾斜しているので、各庇１６
（１）〜１６（５）の上面に沿ってプリンター幅方向に流れて、それらの端から落下する
。よって、各スリット１４（１）〜１４（５）に液体が侵入することを防止できる。最も
下側のスリット１４（６）には庇が付いていないが、液体が背面板部分１３Ａの外側表面
１３ａに沿って最も下側のスリット１４（６）に到達する可能性は殆ど無いので、庇が無
くても問題がない。
【００４５】
さらに、上側の３本の庇１６（１）〜１６（３）は、ツマミ１５の上側部分に延びてい
る。したがって、液体がツマミ１５に流れ落ちて、ツマミ１５の軸に沿って内部に侵入し
てしまうことも確実に阻止できる。
【００４６】
なお、各庇１６（１）〜１６（５）は各スリット１４（１）〜１４（５）と同様に一方
向に傾斜させてある。この代わりに、各庇１６（１）〜１６（５）をそれらの幅方向の中
央部分から左右に傾斜させて水勾配を付与してもよい。また、直線状ではなく曲線状に水
勾配（傾斜）を付けることも可能である。
【００４７】
次に、本例の庇１６（１）〜１６（５）は、図１、図４（ｂ）から分かるように、一定
厚さの矩形断面の庇であり、背面板部分１３Ａの外側表面１３ａからの張り出し量が上側
の庇の方が多い。詳しく説明すると、最も上側の庇１６（１）の先端１６ａ（１）に対し
て、その下側の庇１６（２）の先端１６ａ（２）は外側表面１３ａの側に僅かに後退した
位置となっている。すなわち、上側の先端１６ａ（１）を通る垂線Ｖよりも僅かに後退し
た位置に下側の庇１６（２）の先端１６ａ（２）が位置するように、それらの張り出し量
が設定されている。この関係は、庇１６（２）、１６（３）の間、庇１６（３）、１６（
４）の間、および庇１６（４）、１６（５）の間においても同様となっている。
【００４８】
なお、本例では、背面板部分１３Ａの外側表面１３ａが垂直に対して上向きに角度βだ
け傾斜しているので、この傾斜角度を見込んで、各庇１６（１）〜１６（５）の張り出し
長さを設定して、上記の関係となるようにしてある。逆に、背面板部分１３Ａの外側表面
１３ａが下向きに傾斜している場合には、庇の張り出し量は最も上の庇１６（１）が最も
少なくなる場合もあり得る。
【００４９】
このように各庇１６（１）〜１６（５）の張り出し量を設定しておくと、上側の庇の先
端から落下した液体が下側の庇に受け止められることなく、そのままプリンター底板部分
２４に落下する。したがって、下側の庇で受け止められた液体が当該庇の上面、下面を伝
ってスリットに侵入してしまうことを回避できるので、防水対策として有効である。
【００５０】
（スリットおよび庇の別の例）
図５（ａ）および（ｂ）にはスリット１４（１）〜１４（６）および庇１６（１）〜１
６（５）の別の例を示してあり、図５（ａ）および（ｂ）は、それぞれ、図４（ａ）およ
び（ｂ）に対応する図である。
【００５１】
本例では、保護カバー１３の背面板部分１３Ａに形成したスリット１１４（１）〜１１
４（６）のうち、下側の２本のスリット１１４（５）および１１４（６）は上記のスリッ
ト１４（５）および１４（６）と同一のものである。上側の４本のスリット１１４（１）
〜１１４（４）は、背面板部分１３Ａの外側表面１３ａの側のスリット部分１１４ａの上
下方向の幅が、内側表面１３ｂの側のスリット部分１１４ｂよりも狭い。すなわち、これ
らのスリット部分１１４ａ、１１４ｂの下面は平坦面によって規定されているが、上面は
段付き面によって規定され、後側のスリット部分１１４ｂが幅広となっている。
【００５２】
これらのスリット１１４（１）〜１１４（４）の上端縁に沿って形成されている庇１１
６（１）〜１１６（４）は、上記の実施の形態における庇１６（１）〜１６（４）の先端
に下側に直角に折れ曲がって延びる水切り部１１６ｂが形成された形状となっている。水
切り部１１６ｂは、図５（ａ）から分かるように、プリンター背面側から背面板部分１３
Ａに直交する方向に沿って見た場合に、各スリット１１４（１）〜１１４（４）における
外側のスリット部分１１４ａに収まる大きさに設定されている。
【００５３】
なお、庇１１６（１）〜１１６（４）におけるこれ以外の構成は庇１６（１）〜１６（
４）と同一であるので、それらの説明を省略する。また、スリット１１４（５）に設けら
れている庇１１６（５）は上記の庇１６（５）と同一である。
【００５４】
このように、庇１１６（１）〜１１６（４）の先端に下方に折れ曲がっている水切り部
１１６ｂを設けると、背面板部分１３Ａの外側表面１３ａに沿って流れ落ちる液体が、庇
の上面側から下面側に回り込むことを確実に防止できる。液体が庇１１６（１）〜１１６
（４）の下面側に回り込むと、当該下面を伝ってスリットまで進み、スリットからブザー
ユニット内に侵入してしまうおそれがあるが、水切り部１１６ｂによって、このような液
体の侵入を確実に防止できる。
【００５５】
また、本例では、水切り部１１６ｂを、各スリット１１４（１）〜１１４（４）の外側
のスリット部分１１４ａに収まる大きさに設定してある。これにより、水切り部１１６ｂ
を備えた庇およびスリットを有する保護カバー１３を、当該保護カバー１３の外側表面お
よび内側表面から両側に開閉する割型を用いて射出成形により一体形成できるので、成形
が容易である。
【００５６】
なお、水切り部１１６ｂは、本例では庇先端から直角に下方に折れ曲がっているが、こ
の折れ曲がり角度は直角でなくてもよい。また、型抜きの問題が無い場合には、水切り部
１１６ｂを、スリットよりも大きな形状のものとすることも可能である。
【００５７】
（その他の実施の形態）
なお、以上の説明は、本発明をキッチンプリンター、厨房プリンターと呼ばれるプリン
ターに適用したものである。本発明は、それ以外のプリンター、およびプリンター以外の
コピー機、スキャナーなどの各種の情報機器における音発生機構の防水構造としても同様
に用いることができる。
【符号の説明】
【００５８】
１  ロール紙プリンター、２  プリンターケース、３  ロール紙収納部、４  ロール紙、
５  記録紙、６  サーマルヘッド、７  プラテンローラ、８  カッター機構、９  排出口
、１０  ブザーユニット、１１  基板、１２  ブザー本体部、１３  保護カバー、１３Ａ
背面板部分、１３ａ  外側表面、１３ｂ  内側表面、１４（１）〜１４（６）  スリッ
ト、１４ａ，１４ｂ  スリット部分、１５  ツマミ、１６（１）〜１６（５）  庇、１６
ａ（１），１６ａ（２）  先端、２１  天板部分、２２，２３  側板部分、２４  底板部
分、２５  背面板、２５ａ  外側表面、２５ｂ  内側表面、２６  支軸、２７  開閉蓋、
２８  スナップ機構、２９（１）〜２９（６）  スリット、２９ａ，２９ｂ  スリット部
分、１１４（１）〜１１４（６）  スリット、１１４ａ，１１４ｂ  スリット部分、１１
６（１）〜１１６（５）  庇、１１６ｂ  水切り部
【図１】
2010162779.tif 000003
【図２】
2010162779.tif 000004
【図３】
2010162779.tif 000005
【図４】
2010162779.tif 000006
【図５】
2010162779.tif 000007